(57)【要約】      （修正有）【課題】損傷を受けにくいリテーナ及びこのようなリテーナが装着された電気コネクタを提供する。【解決手段】内部に端子Ｃを収容する断面略矩形状のハウジング２０の端子組み付け面側に装着されるリテーナ１０であって、リテーナ１０は端子組み付け面をカバーする基部と基部の短辺側から長辺側に回り込み端子組み付け方向に延びる一対の袖部とを備え、袖部は前記短辺側の側面に係止部１４０を備える。基部は短辺側寄りに短辺の延びる方向に延びるスリット部１３０を備える。基部は端子Ｃに繋がる電線Ｗが通過するための穿孔部が形成された電線保持部１２０を備える。【選択図】図１
2020161239.tif 000002
【特許請求の範囲】
【請求項１】
内部に端子を収容する断面略矩形状のハウジングの端子組み付け面側に装着されるリテーナであって、
前記リテーナは前記端子組み付け面をカバーする基部と前記基部の短辺側から長辺側に回り込み前記端子組み付け方向に延びる一対の袖部とを備え、
前記袖部は前記短辺側の側面に係止部を備えるところに特徴を有するリテーナ。
【請求項２】
前記袖部の前記長辺側への回り込みは前記長辺の距離の少なくとも５分の一であるところに特徴を有する請求項１記載のリテーナ。
【請求項３】
前記基部は前記短辺側寄りに前記短辺又は前記短辺から前記長辺に沿って延びるスリット部を備えるところに特徴を有する請求項１又は２記載のリテーナ。
【請求項４】
前記基部は前記端子に繋がる電線を保持するための穿孔部が形成された電線保持部を備えるところに特徴を有する請求項３記載のリテーナ。
【請求項５】
請求項１から４のうち一項記載のリテーナが装着されたハウジングからなる電気コネクタ。
【発明の詳細な説明】
【技術分野】
【０００１】
本発明は、ハウジングの端部に装着されるリテーナ及び電気コネクタに関する。
【０００２】
この分野の技術として特許文献１記載の技術が知られている。防水コネクタの電線挿入部における防水構造として、電線とハウジング内面との間に生じる隙間をシールゴム（１５）で封止する技術が開示されている。ハウジングに組み込まれたシールゴムは、ハウジングの開口面（電線挿入面）に装着されたリテーナによって脱落が抑止されている。リテーナは、両端縁から延びる一対の係止部（１６ｂ）でハウジングの側面に保持されている。
【先行技術文献】
【特許文献】
【０００３】
【特許文献１】特開２００２−１４１１３９号公報
【発明の概要】
【発明が解決しようとする課題】
【０００４】
しかし、リテーナの係止部（１６ｂ）は、片持ち梁状の板片で肉厚は薄く細長い形状である。そのために、リテーナをバラ積み状態で梱包し輸送した場合には、輸送時の衝撃などでリテーナの係止部が付け根から折れたり或いは曲がったり、損傷を受けるおそれがある。また、リテーナをハウジングに装着する際に生じる変形によって係止部が損傷を受けるおそれがある。
【０００５】
本発明は、上述した問題に鑑みてなされたものであり、係止部が外力によって損傷を受けにくいリテーナ、及びこのようなリテーナがハウジングに装着された電気コネクタを提供することを課題とする。
【課題を解決するための手段】
【０００６】
本発明のリテーナは、（１）内部に端子を収容する断面略矩形状のハウジングの端子組み付け面側に装着されるリテーナであって、前記リテーナは前記端子組み付け面をカバーする基部と前記基部の短辺側から長辺側に回り込み前記端子組み付け方向に延びる一対の袖部とを備え、前記袖部は前記短辺側の側面に係止部を備えるところに特徴を有するものである。
【０００７】
この発明によれば、係止部を備える袖部が基部の短辺側から長辺側へ回り込むのでリテーナの剛性が向上する。これにより、係止部が外力によって損傷を受けにくいリテーナが得られる。
【０００８】
好ましくは本発明のリテーナは、（２）前記袖部の前記長辺側への回り込みは前記長辺の距離の少なくとも５分の一であるところに特徴を有する（１）記載のものである。
【０００９】
この発明によれば、袖部の回りこみ量は長辺の距離の５分の一以上あるで、袖部の外方向或いは内方向への倒れこみが抑制されたリテーナが得られる。
【００１０】
好ましくは本発明のリテーナは、（３）前記基部は前記短辺側寄りに前記短辺又は前記短辺から前記長辺に沿って延びるスリット部を備えるところに特徴を有する（１）又は（２）記載のものである。
【００１１】
この発明によれば、基部にスリット部が備わるので、袖部の内方向或いは外方向への変形の際生じる歪は、このスリット部
によって消滅する。これにより、外力による係止部の損傷が抑制されたリテーナが得られる。
【００１２】
好ましくは本発明のリテーナは、（４）前記基部は前記端子に繋がる電線を保持するための穿孔部が形成された電線保持部を備えるところに特徴を有する（３）記載のものである。
【００１３】
この発明によれば、電線を穿孔部で保持するので、電線の曲がりや変形が抑制されたリテーナが得られる。
【００１４】
本発明の電気コネクタは、（５）上記（１）から（４）のうち一項記載のリテーナが装着されたハウジングからなるものである。
【図面の簡単な説明】
【００１５】
【図１】図１は、本実施形態のリテーナが装着された電気コネクタの分解斜視図である。
【図２】図２は、同リテーナの外観斜視図であって、（１）は表面側、（２）は裏面側である。
【図３】図３は、同リテーナがハウジングに装着された状態の電気コネクタの外観斜視図である。
【図４】図４は、本発明の第２実施形態のリテーナの外観斜視図である。
【図５】図５は、本発明の第３実施形態のリテーナの外観斜視図である。
【発明を実施するための形態】
【００１６】
本発明の実施形態を添付図面に基づいて説明するが、本発明の技術的範囲はこれらの実施形態によって限定されるものではなく、発明の要旨を逸脱しない範囲で実施することができる。図１は、本実施形態のリテーナが装着された電気コネクタの分解斜視図である。図２は、同リテーナの外観斜視図であって、（１）は表面側、（２）は裏面側である。図３は、同リテーナがハウジングに装着された状態の電気コネクタの外観斜視図である。
【００１７】
本実施形態の電気コネクタ１は、図１に示されるように、内部に端子Ｃを所定間隔で収容するハウジング２０と、ハウジング２０の開口面（端子組み付け面）に装着されるリテーナ１０とを備える。端子Ｃは、導電性の金属或いは金属合金からなるピン状体である。端子Ｃは、図示しない相手方端子に接続する接触部と、電線Ｗに繋がる接続部と、これら両者を繋げる連結部とを直線状に備える。
【００１８】
端子Ｃの接続部は、圧着加工によって電線Ｗの中心導体に接続される。電線Ｗは、中心導体を保護するための絶縁樹脂で全体が覆われている。電線Ｗは、連結する端子Ｃ近傍でシール部材３０によって電線Ｗ周面とハウジング２０内周面との隙間が封止されている。本実施形態のように電線Ｗが複数本備わる場合には、電線Ｗと電線Ｗとの間に生じる隙間もシール部材３０によって封止されている。シール部材３０は、耐久性や弾性を備えた材料からなり、たとえばリコーンゴムなどの合成ゴムの成形品であってよい。或いは、ジェル状の充填材で封止してもよい。このようなシール部材３０によってハウジング２０の電線引き出し穴の気密性が確保される。
【００１９】
ハウジング２０は、図１に示されるように、断面矩形状の筒状体で、本体部２００と、本体部２００の端子組み付け面側にカバー部２１０とを備える。カバー部２１０は、本体部２００の外形よりも一回り大きい筒状体である。本体部２００は、内部に端子Ｃを収容するための端子収容室を等間隔に一列状に備える。端子収容室の内部には、端子Ｃ周面と
端子収容室内周面との隙間を埋めるための、図示しないシール部材が装着されている。これにより端子収容室の気密性が確保される。
【００２０】
本体部２００は、図１に示されるように、平坦な四面で構成されている。本体部２００の表面は、図示しない相手方電気コネクタと嵌合するための嵌合面である。本体部２００には、カバー部２１０から延びるロックアーム２３０が備わる。ロックアーム２３０の先端には係止部が備わり、図示しない相手方電気コネクタとの嵌合の際、相手方電気コネクタの被係止部と係止する。これにより、嵌合状態が保持される。
【００２１】
本体部２００は、図１に示されるように、電線Ｗの端部に接続された端子Ｃを内部の端子収容室で収容保持する。本実施形態の場合には、４本の端子Ｃが一列状に等間隔で組み付けられている。端子Ｃは、後方の接続部で電線Ｗに接続し、電線Ｗは端子Ｃの延びる方向に沿って後方に排出されている。電線Ｗは、導体部の周囲が非導電性の可撓性のある合成樹脂で保護されている。電線Ｗは、略同じ大きさの円柱状である。電線Ｗは、一列状に４本が配置された状態で周囲にシール部材３０が装着されている。
【００２２】
カバー部２１０は、図１に示されるように、本体部２００の端子組み付け面側に備わる。カバー部２１０は、正面視略矩形状で内側にはシール部材３０を収容するための空間部が形成されている。この空間部にシール部材３０は隙間なく組み付けられる。カバー部２１０には、短辺側の側面にリテーナ１０を係止するための突起状の被係止部２２０が備わる。
【００２３】
シール部材３０は、図１に示されるように、基部３００と基部３００の外周面に形成された封止部３１０とを備える。基部３００には、一列状に４個の穴が等間隔で穿孔されている。基部３００は、正面視略矩形状で所定の厚みを備えている。封止部３１０は、基部３００に比べて厚みが薄く柔軟性に富み、自在に変形可能である。封止部３１０は、装着状態でハウジング２０内周面との隙間を埋める。シール部材３０は、図１に示されるように、カバー部２１０の内側にある空間部に装着される。シール部材３０がカバー部２１０に装着された状態でハウジング２０の気密性が確保されることとなる。所定位置に組み付けられたシール部材３０は、リテーナ１０によって保持され脱落が抑止されている。
【００２４】
＜リテーナ＞
リテーナ１０は、図１に示されるように、ハウジング２０に端子Ｃが収容された状態でハウジング２０の端子取り付け面側に組み付けられる。このとき、ハウジング２０には電線Ｗがシール部材３０とセットになって所定位置に配置されている。
【００２５】
リテーナ１０は、図２に示されるように、正面視略矩形状の基部１００と、基部１００の短辺側から長辺側に回り込む状態でこれらの縁部から端子組み付け方向に延びる一対の袖部１１０、１１０とを備える。基部１００には、反端子組み付け方向に延びる筒状の電線保持部１２０が備わる。電線保持部１２０には、内部に電線Ｗを保持するための保持穴が備わる。保持穴は一列状に等間隔で配置されている。
【００２６】
基部１００には、図２に示されるように、短辺側寄りにスリット部１３０が形成されている。スリット部１３０は、袖部１１０が短辺側から長辺側に回りこむ方向に沿って形成されている。詳しくは、短辺側から長辺側に延びる袖部１１０の縁部に沿って近傍に形成されている。このように、スリット部１３０は、袖部１１０の縁部に沿って形成されているので、袖部１１０が外方向或いは内方向に撓むときに発生する歪を逃がす歪解放場として作用する。このようなスリット部１３０は、複数の貫通孔が列状に連なるものであってもよい。またスリット部１３０は、短辺側の全域に備わる形態や、短辺側から長辺側に回り込む形態であってもよい。またスリット部１３０は、単なる切込みであってもよい。さ
らにスリット部１３０は、底面を有する溝状であってもよい。
【００２７】
袖部１１０は、図２に示されるように、短辺側に開口状の係止部１４０を備えている。リテーナ１０をハウジング２０のカバー部２１０に装着した際、係止部１４０はカバー部２１０の被係止部２２０に係止しリテーナ１０をハウジング２０に固定する。
【００２８】
＜リテーナ組み付け＞
リテーナ１０をハウジング２０に組み付ける際、袖部１１０（係止部１４０）の先端は、カバー部２１０の突起状の被係止部２２０の手前からこれを乗り越える動作に移り、ピークを迎えた後に係止部１４０と、被係止部２２０との係止状態に至る。
【００２９】
この係止状態に至る過程で、袖部１１０には特に外方向への撓み変形が生じる。撓み変形は、袖部１１０全体に及ぶ。袖部１１０は短辺側から長辺側に回り込むように広がる面で構成されているので、変形で生じる歪は、袖部１１０全体に分散されることとなる。
【００３０】
また、袖部１１０に加わる撓み変形は、リテーナ１０の基部１００にも歪を生じさせる。歪は、袖部１１０が形成される位置、すなわち基部１００の短辺側から長辺側にかけての縁部近傍に集中する。スリット部１３０はちょうどこの位置に形成されており、歪はこのスリット部１３０に解放されることとなる。これにより、袖部１１０が受ける応力が緩和されたリテーナ１０が得られる。
【００３１】
上述したリテーナ１０の外力に対する応力緩和のメカニズムは、リテーナ１０のバラ積み梱包の輸送時に受ける外力についても同様の効果を奏する。
【００３２】
図３は、リテーナ１０がハウジング２０に装着された電気コネクタ１の外観斜視図である。電気コネクタ１の嵌合面側（反端子組み付け面側）は、図示しないシール部材で端子Ｃ周辺の気密性が確保されており、端子組み付け面側は、電線Ｗの周囲に装着されたシール部材３０で電線Ｗ周辺の気密性が確保されている。そして、シール部材３０はリテーナ１０によって所定位置に保持され、リテーナ１０は係止部１４０でハウジング２０のカバー部２１０に固定されている。これにより、外力によって損傷を受けにくいリテーナ１０及びこのようなリテーナ１０が装着された電気コネクタ１が得られる。
【００３３】
＜効果＞
・係止部１４０が備わる袖部１１０の形状をコの字状（短辺側から長辺側に回り込む形状）とすることで、リテーナ１０のバラ積み梱包時の係止部１４０（袖部１１０）の損傷を抑止することができるリテーナ１０が得られる。
・リテーナ１０の基部１００の縁部にスリット部１３０が備わるので、組み付け時袖部１１０の基端部の応力が緩和されたリテーナ１０が得られる。
【００３４】
＜他の実施形態＞
他の実施形態について図面に従って説明する。図４は、本発明の第２実施形態を示すリテーナの外観斜視図である。図５は、本発明の第３実施形態を示すリテーナの外観斜視図である。
【００３５】
第２実施形態に係るリテーナ１０のスリット部１３００は、短辺側から長辺側へ深く回り込む。歪変形の応力分布に対応したスリット形状である。このように変形した場合でも概ね上述した効果が得られる。
第３実施形態に係るリテーナ１０のスリット部２３００は、不連続スリットが列状に備わる。スリットには横桟が備わり不連続スリット２３００が形成されている。これにより基部１００の強度が補強されたリテーナが得られる。このように変形した場合でも概ね上
述した効果が得られる。
【符号の説明】
【００３６】
１            電気コネクタ
１０          リテーナ
１００        基部
１１０        袖部
１２０        電線保持部
１３０、１３００、２３００  スリット部
１４０        係止部
２０          ハウジング
２００        本体部
２１０        カバー部
２２０        被係止部
２３０        ロックアーム
３０          シール部材
３００        基部
３１０        封止部
Ｗ            電線
Ｃ            端子
【図１】
2020161239.tif 000003
【図２】
2020161239.tif 000004
【図３】
2020161239.tif 000005
【図４】
2020161239.tif 000006
【図５】
2020161239.tif 000007